(57)【要約】【課題】全画面で輝度が均一な発光表示装置及びその駆動方法を提供する。【解決手段】本発明は、有機ＥＬ（electro-luminescence）素子などのように電流によって輝度が制御される発光素子を各画素ごとに備えた発光表示装置及びその駆動方法に関する。本発明による発光表示装置は、電流ミラーを形成するトランジスタを内部に含み、第１及び第２走査線を有する画素構造を含む。ここで、前記第２走査線に供給され、画素に表示情報を記録するための第２走査信号の選択解除時点が、前記第１走査線に供給され、画素を選択する第１走査信号の選択解除時点より速い。その結果、走査信号の遅延によって輝度の低下が発生するのを防止することができる。このように、本発明によると、全体的に輝度が均一な発光表示装置を提供することができる。【選択図】図３
2005165320.tif 000002
【特許請求の範囲】
【請求項１】
データ電流を伝達し、一方向に形成されている複数のデータ線と、
第１及び第２走査信号を各々伝達し、前記データ線と直交する方向に設けられる複数の第１及び第２走査線と、
前記データ線と前記第１及び第２走査線とが交差する位置となる画素領域に形成されており、第１走査線によって選択される場合にはデータ線を通って伝達されるデータ電流の経路を形成し、第２走査線によって選択される場合には前記経路を通って供給されるデータ電流によって表示動作を行う複数の画素と、
前記画素を選択するための第１走査信号と、当該画素に表示情報を記録するための第２走査信号とを各々生成し、前記第１走査線及び第２走査線に各々出力する第１及び第２走査駆動部と、
表示情報による電流レベルを有するデータ電流を生成し、前記データ線に出力するデータ駆動部と、を含み、
前記第２走査信号の選択解除時点が前記第１走査信号の選択解除時点より早いことを特徴とする発光表示装置。
【請求項２】
前記第１及び第２走査信号のパルス幅が同一であることを特徴とする請求項１に記載の発光表示装置。
【請求項３】
前記第１走査信号の選択解除時点と前記第２走査信号の選択解除時点との間の時間差は、第２走査駆動部から距離が最も遠い画素での第２走査信号の選択解除時間以上であることを特徴とする請求項１に記載の発光表示装置。
【請求項４】
前記時間差は、１μsec以上であることを特徴とする請求項３に記載の発光表示装置。
【請求項５】
前記時間差は、１．５μsec〜４μsecであることを特徴とする請求項４に記載の発光表示装置。
【請求項６】
前記時間差は、１．２μsec〜４μsecであることを特徴とする請求項４に記載の発光表示装置。
【請求項７】
前記画素は、
前記データ線を通って供給される電流を伝達するための経路を形成する第１トランジスタと、
前記第１走査信号によって動作し、データ線と第１トランジスタとの間で電流の供給を制御する第１スイッチング素子と、
前記第１トランジスタを通って流れる電流を電圧に変換する維持キャパシタと、
前記第２走査信号によって動作し、第１トランジスタと維持キャパシタとの間でスイッチング機能を行う第２スイッチング素子と、
前記第１トランジスタと共に電流ミラーを形成し、前記維持キャパシタに充電された電圧に対応する電流を発生させる第２トランジスタと、
前記第２トランジスタから供給される電流の大きさによって発光して表示動作を行う発光素子と、を含むことを特徴とする請求項１に記載の発光表示装置。
【請求項８】
前記第１スイッチング素子は、前記第１トランジスタのドレーンとデータ線とを接続し、前記第２スイッチング素子は、前記第１トランジスタのドレーンと第２トランジスタのゲートとを接続することを特徴とする請求項７に記載の発光表示装置。
【請求項９】
第１期間の間に第１レベルの前記第１走査信号及び第２走査信号によって前記第１スイッチング素子及び第２スイッチング素子がターンオンされて、前記データ線からの電流が前記第１トランジスタを通って維持キャパシタに伝達され、前記電流に対応する電圧が前記維持キャパシタに充電され、
第２期間の間に前記有機キャパシタに充電された電圧によって前記発光素子が発光し、
第３期間の間に前記第２レベルの前記第２走査信号によって前記第２スイッチング素子がターンオフされ、その後、第２レベルの第１走査信号によって前記第１スイッチング素子がターンオフされて、前記第１トランジスタへの電流の供給が遮断されることを特徴とする請求項７に記載の発光表示装置。
【請求項１０】
前記発光素子は、有機発光ダイオードであることを特徴とする請求項７に記載の発光表示装置。
【請求項１１】
前記第１及び第２走査駆動部は、印加される第１及び第２クロック信号によって各々動作して第１及び第２走査信号を各々生成するフリップフロップからなり、
前記第２クロック信号の駆動時点が前記第１クロック信号の駆動時点より早いことを特徴とする請求項１に記載の発光表示装置。
【請求項１２】
データ線と第１及び第２走査線とが交差する位置の画素領域に形成されており、発光素子、維持キャパシタ、第１トランジスタ、前記第１トランジスタと共に電流ミラーを形成する第２トランジスタを含む画素回路が形成されている発光表示装置を駆動する方法において、
ａ）前記第１走査線に第１走査信号を供給して前記データ線を通って供給される電流を伝達するための経路を形成する工程、
ｂ）前記第２走査線に第２走査信号を供給して前記データ線を通って供給される電流が前記第１トランジスタを通って維持キャパシタに充電されるようにする工程、
ｃ）前記第１トランジスタと共に電流ミラーを形成する第２トランジスタから伝達されて前記維持キャパシタに充電された電流に応答して前記発光素子が発光する工程、
を含み、
前記第２走査信号の選択解除時点が前記第１走査信号の選択解除時点より早いことを特徴とする発光表示装置の駆動方法。
【請求項１３】
前記第１及び第２走査信号のパルス幅が同一であることを特徴とする請求項１２に記載の発光表示装置の駆動方法。
【発明の詳細な説明】
【技術分野】
【０００１】
本発明は発光表示装置に関し、特に、有機電界発光（以下、有機ＥＬと言う）を利用した発光表示装置及びその駆動方法に関する。
【背景技術】
【０００２】
一般に、アクティブマトリックス型の発光表示装置では、複数の画素をマトリックス形式に配列し、与えられた輝度情報によって各画素の光の強さを制御して、画像を表示する。電気光学物質として液晶を利用する場合には、各画素に記録される電圧によって画素の透過率が変化する。電気光学物質として有機ＥＬ材料を利用するアクティブマトリックス型の発光表示装置でも、基本的な動作は液晶を利用する場合と同様である。
【０００３】
しかし、液晶表示装置とは異なって、有機ＥＬ表示装置は、各画素に、例えば有機発光ダイオード（ＯＬＥＤ）のような発光素子を有する、いわゆる自己発光型であり、液晶表示装置に比べて画像の視認性が高く、バックライトが不要であり、応答速度が速い等の利点を有する。各発光素子の輝度は電流量によって制御される。つまり、発光素子が電流駆動型であるか電流制御型であるかという点で液晶表示装置とは大きく異なる。
【０００４】
このように構成される有機発光セルを駆動する方式には、単純マトリックス方式と薄膜トランジスタ（ＴＦＴ）を利用した能動駆動方式とがある。単純マトリックス方式は、正極及び負極を直交するように形成し、ラインを選択して駆動するのに対して、能動駆動方式は、薄膜トランジスタを各ＩＴＯ画素電極に接続し、薄膜トランジスタのゲートに接続されたキャパシタの容量によって維持された電圧によって駆動する。
【０００５】
この時、能動駆動方式は、キャパシタに電圧を設定するために印加される信号の形態によって、電圧記入（voltage programming）方式と電流記入（current programming）方式とに分けられる。
【０００６】
従来の電圧記入方式の画素回路では、製造工程の不均一性によって生じる薄膜トランジスタのしきい電圧ＶTH及びキャリア移動度の偏差によって高階調を表現するのが難しいという問題点がある。
【０００７】
例えば、電圧３Ｖで画素の薄膜トランジスタを駆動する場合、８ビット（２５６）階調を表現するためには１２ｍＶ（＝３Ｖ／２５６）以下の間隔で薄膜トランジスタのゲートに電圧を印加しなければならないが、製造工程の不均一性による薄膜トランジスタのしきい電圧の偏差が１００μsecである場合には、高階調を表現するのが難しくなる。
【０００８】
これに対し、電流記入方式の画素回路は、画素回路に電流を供給する電流源がパネル全体で均一であるとすれば、各画素内の駆動トランジスタが不均一な電圧／電流特性を有するとしても、均一なディスプレイ特性を得ることができる。
【０００９】
このような電流駆動方式は、画素内に使用されるトランジスタのしきい電圧特性の偏差だけでなく、移動度特性の偏差まで補償することができるという長所を有するが、データ線を駆動する電流と有機発光ダイオードに流れる電流の大きさとが同一でなければならないので、データ線を駆動するのに時間が多くかかり、高階調及び高解像度を有する発光表示装置を実現するのに限界がある。
【００１０】
図１に、このような問題を解決するために電流ミラー（カレントミラー）を利用する画素構造を有する発光表示装置の構造が示されている。
【００１１】
添付した図１に示された画素は、走査線及びデータ線が交差する地点に形成されている。走査線には所定の走査サイクルで画素を選択するための信号が印加され、データ線には画素を駆動するための輝度情報が電流Ｉdataの形態で供給される。
【００１２】
このような画素は、発光素子として動作する有機発光ダイオード１、電流ミラーを形成する２つのトランジスタ２、３、前記電流Ｉdataを電圧レベルに変換した輝度情報を保存する維持キャパシタ４、前記電流Ｉdataの前記トランジスタ２及び維持キャパシタ４への供給を各々制御するスイッチ５、６から構成される。図１に示す符号７は電源線であり、符号８は接地線である。
【００１３】
画素を選択するために前記走査線を介して与えられた信号（scan）は、前記２つのスイッチ５、６を同時にターンオンし、スイッチ５がターンオンされてデータ線に印加された輝度情報を含む電流Ｉdataがトランジスタ２に供給され、また、スイッチ６がターンオンされて前記電流Ｉdataが維持キャパシタ４に充電される。
【００１４】
その後、走査線が非選択状態になれば、スイッチ５、６が遮断されて維持キャパシタ４に記録された電圧は維持される。その結果、維持キャパシタ４が維持している電圧は前記トランジスタ３のゲートに印加され、これによりドレーン電流が発生して有機発光ダイオード１が駆動される。
【００１５】
しかし、従来の電流ミラーを利用した画素構造の発光表示装置では、走査駆動部から距離が遠い画素ほど輝度が低下する現象が発生する。
【００１６】
より具体的に説明すれば、画素が走査線によって選択及び解除される短時間の間にスイッチ５、６の抵抗が次第に大きくなって電流がほとんど供給されないターンオフ状態になり、維持キャパシタ４に保存された電圧はそのまま維持される。
【００１７】
しかし、走査線上の寄生成分によって信号遅延が発生するので、走査駆動部から距離が遠い画素ほど走査信号の上昇時間（立ち上がり又は立ち下がり時間）が長くなって、スイッチ５、６がターンオフ状態になるのに時間が多くかかる。
【００１８】
この時、スイッチ５の抵抗が大きくなれば、トランジスタ２のドレーン、つまりゲート電圧が上昇し、そのためにトランジスタ２のゲート電圧とトランジスタ３のゲート電圧との間に電圧差が発生する。このような状態で走査信号の上昇時間が長くなれば、その間にスイッチ６が十分にターンオフされないため、キャパシタ４に充電されている電圧がスイッチ６を通じて放電されてトランジスタ３のゲート電圧が上昇する。したがって、走査駆動部から距離が遠い画素で輝度が低下する。その結果、画面全体の輝度の不均一が発生してディスプレイ特性が低下する問題点が発生する。
【発明の開示】
【発明が解決しようとする課題】
【００１９】
従って、本発明が目的とする技術的課題は、従来の問題点を解決するためのものであって、全画面で輝度が均一な発光表示装置及びその駆動方法を提供することにある。
【課題を解決するための手段】
【００２０】
上記目的を達成するため、本願請求項１に記載の発光表示装置は、データ電流を伝達し、一方向に形成されている複数のデータ線と、第１及び第２走査信号を各々伝達し、前記データ線と直交する方向に設けられる複数の第１及び第２走査線と、前記データ線と前記第１及び第２走査線とが交差する位置となる画素領域に形成されており、第１走査線によって選択される場合にはデータ線を通って伝達されるデータ電流の経路を形成し、第２走査線によって選択される場合には前記経路を通って供給されるデータ電流によって表示動作を行う複数の画素と、前記画素を選択するための第１走査信号と、当該画素に表示情報を記録するための第２走査信号とを各々生成し、前記第１走査線及び第２走査線に各々出力する第１及び第２走査駆動部と、表示情報による電流レベルを有するデータ電流を生成し、前記データ線に出力するデータ駆動部と、を含み、前記第２走査信号の選択解除時点が前記第１走査信号の選択解除時点より早いことを特徴とする。
【００２１】
請求項２に記載の発明は、前記第１及び第２走査信号のパルス幅が同一であることを特徴とする。
【００２２】
請求項３に記載の発明は、前記第１走査信号の選択解除時点と前記第２走査信号の選択解除時点との間の時間差は、第２走査駆動部から距離が最も遠い画素での第２走査信号の選択解除時間以上であることを特徴とする。
【００２３】
請求項４に記載の発明は、前記時間差は、１μsec以上であることを特徴とする。
【００２４】
請求項５に記載の発明は、前記時間差は、１．５μsec〜４μsecであることを特徴とする。
【００２５】
請求項６に記載の発明は、前記時間差は、１．２μsec〜４μsecであることを特徴とする。
【００２６】
請求項７に記載の発明は、前記画素は、前記データ線を通って供給される電流を伝達するための経路を形成する第１トランジスタと、前記第１走査信号によって動作し、データ線と第１トランジスタとの間で電流の供給を制御する第１スイッチング素子と、前記第１トランジスタを通って流れる電流を電圧に変換する維持キャパシタと、前記第２走査信号によって動作し、第１トランジスタと維持キャパシタとの間でスイッチング機能を行う第２スイッチング素子と、前記第１トランジスタと共に電流ミラーを形成し、前記維持キャパシタに充電された電圧に対応する電流を発生させる第２トランジスタと、前記第２トランジスタから供給される電流の大きさによって発光して表示動作を行う発光素子と、を含むことを特徴とする。
【００２７】
請求項８に記載の発明は、前記第１スイッチング素子は、前記第１トランジスタのドレーンとデータ線とを接続し、前記第２スイッチング素子は、前記第１トランジスタのドレーンと第２トランジスタのゲートとを接続することを特徴とする。
【００２８】
請求項９に記載の発明は、第１期間の間に第１レベルの前記第１走査信号及び第２走査信号によって前記第１スイッチング素子及び第２スイッチング素子がターンオンされて、前記データ線からの電流が前記第１トランジスタを通って維持キャパシタに伝達され、前記電流に対応する電圧が前記維持キャパシタに充電され、第２期間の間に前記有機キャパシタに充電された電圧によって前記発光素子が発光し、第３期間の間に前記第２レベルの前記第２走査信号によって前記第２スイッチング素子がターンオフされ、その後、第２レベルの第１走査信号によって前記第１スイッチング素子がターンオフされて、前記第１トランジスタへの電流の供給が遮断されることを特徴とする。
【００２９】
請求項１０に記載の発明は、前記発光素子は、有機発光ダイオードであることを特徴とする。
【００３０】
請求項１１に記載の発明は、前記第１及び第２走査駆動部は、印加される第１及び第２クロック信号によって各々動作して第１及び第２走査信号を各々生成するフリップフロップからなり、前記第２クロック信号の駆動時点が前記第１クロック信号の駆動時点より早いことを特徴とする。
【００３１】
請求項１２に記載の発光表示装置の駆動方法は、データ線と第１及び第２走査線とが交差する位置の画素領域に形成されており、発光素子、維持キャパシタ、第１トランジスタ、前記第１トランジスタと共に電流ミラーを形成する第２トランジスタを含む画素回路が形成されている発光表示装置を駆動する方法において、
ａ）前記第１走査線に第１走査信号を供給して前記データ線を通って供給される電流を伝達するための経路を形成する工程、
ｂ）前記第２走査線に第２走査信号を供給して前記データ線を通って供給される電流が前記第１トランジスタを通って維持キャパシタに充電されるようにする工程、
ｃ）前記第１トランジスタと共に電流ミラーを形成する第２トランジスタから伝達されて前記維持キャパシタに充電された電流に応答して前記発光素子が発光する工程、
を含み、前記第２走査信号の選択解除時点が前記第１走査信号の選択解除時点より早いことを特徴とする。
【００３２】
請求項１３に記載の発明は、前記第１及び第２走査信号のパルス幅が同一であることを特徴とする。
【発明の効果】
【００３３】
本発明によれば、電流ミラーを形成するトランジスタを画素の内部に含み、２つの走査線を有する画素構造において、画素に表示情報を記録するための第２走査信号の選択解除時点を、画素を選択する第１走査信号の選択解除時点より早くすることにより、信号遅延に関係なく画素で表示動作が終了する前に画素に充電された電流が放電されて発光量が減少するのを防止することができる。従って、全体的に輝度が均一な発光表示装置を提供することができる。
【発明を実施するための最良の形態】
【００３４】
以下、添付した図面を参照して、本発明の実施形態について、本発明が属する技術分野における通常の知識を有する者が容易に実施することができるように詳細に説明する。しかし、本発明は多様な相異した形態で実現することができ、ここで説明する実施形態に限定されない。
【００３５】
図面では、本発明を明確に説明するために、説明と関係のない部分は省略した。明細書全体にかけて、類似した部分については同一な図面符号を付けた。ある部分が他の部分と接続されているとする時、これは直接的に接続されている場合だけでなく、その中間に他の素子を置いて電気的に接続されている場合も含む。
【００３６】
それでは、本発明の実施形態による発光表示装置及びその駆動方法について、図面を参照して詳細に説明する。以下で記載される発光表示装置は有機発光セルを有する有機電界発光表示装置であるが、本発明による発光表示装置はこれに限定されない。
【００３７】
本発明の実施形態では、電流ミラーを形成するトランジスタを含む画素構造を有する発光表示装置において、一つの行の画素を選択するための第１走査信号と、選択された画素に表示情報を記録するための第２走査信号とを互いに異なる走査線を通じて各画素に供給し、第２走査信号の選択解除時点を、第１走査信号の選択解除時点よりも早くすることにより、画素が第１または第２走査信号を供給する走査駆動部から距離が遠くなるほど輝度が低下するのを防止する。
【００３８】
このような特徴を有する本発明の実施形態による発光表示装置について、詳しく説明する。図２は本発明の実施形態による発光表示装置の概略的な平面図である。
【００３９】
図２に示したように、本発明の実施形態による発光表示装置は、有機ＥＬ表示パネル（以下、表示パネルという）１００と、データ駆動部２００と、第１走査駆動部３００と、第２走査駆動部４００とを含む。
【００４０】
表示パネル１００は、行方向（図中上下方向）に延びている複数のデータ線、列方向（図中左右方向）に延びている複数の走査線、及び複数の画素回路１１０を含む。
【００４１】
本発明の実施形態において、走査線は、画素を選択するための第１走査信号scan１を伝達する複数の第１走査線scan１[１]〜scan１[ｍ]、及び有機ＥＬ素子の発光期間を制御するための第２走査信号scan２を伝達する複数の第２走査線scan２[１]〜scan２[ｍ]を含む。第１走査線は画素を選択するための走査線であり、第２走査線は当該画素にデータ線を通って伝達された電流信号（表示情報）を記録するための走査線である。
【００４２】
このようなデータ線と第１及び第２走査線とによって定義される画素領域に画素回路１１０が形成されている。各画素回路１１０では、第１走査線によって選択される場合にデータ線を通って伝達される電流の経路を形成し、第２走査線によって選択される場合にデータ線を通って供給される電流によって表示動作を行う。ここで、表示動作とは、画素にデータ線から供給されるデータ（データ電流Ｉdata）を記入し、記入されたデータによって画素が発光することを言う。
【００４３】
一方、データ駆動部２００は、データ線にデータ電流Ｉdataを出力する。第１及び第２走査駆動部３００、４００は、入力信号VSP１、VSP２に基づき、クロック信号VCLK１、VCLKB１、VCLK２、VCLKB２に応じて画素を選択するための第１走査信号scan１と、当該画素に表示情報（輝度情報）を記録するための第２走査信号scan２とを各々生成し、各行の第１及び第２走査線に各々出力する。ここで、第２走査信号scan２の選択解除時点が第１走査信号scan２の選択解除時点より早い。この時、各走査駆動部３００、４００に入力されて走査信号の出力を制御するクロック信号（例えば、VCLK１、VCLKB１、VCLK２、VCLKB２）を調節することにより、第２走査信号scan２の選択解除時点を第１走査信号scan１の選択解除時点よりも早くすることができる。また、第１走査信号scan１及び第２走査信号scan２のパルス幅（駆動時間）を同一にすることができる。
【００４４】
本実施形態では、第１走査駆動部３００及び第２走査駆動部４００が表示パネル１００を中央に置いて互いに対向するように配置されているが、必ずしもこれに限定されず、例えば第１及び第２走査駆動部３００、４００の双方が表示パネル１００の右側や左側に配置される構成とすることも可能である。
【００４５】
第１及び第２走査駆動部３００、４００及び／またはデータ駆動部２００は、表示パネル１００に電気的に接続することができ、或いは、表示パネル１００に接着されて電気的に接続されているテープキャリアパッケージ（ＴＣＰ）にチップなどの形態で装着することができる。または、表示パネル１００に接着されて電気的に接続されている可撓性印刷回路（ＦＰＣ）またはフィルムなどにチップなどの形態で装着することができ、これをＣＯＦ（chip on film）方式という。これとは異なって、第１及び第２走査駆動部３００、４００及び／またはデータ駆動部２００は、表示パネルのガラス基板上に直接装着することができ、これをＣＯＧ（chip on glass）方式という。また、ガラス基板上に走査線、データ線、及び薄膜トランジスタと同一層に形成されている駆動回路に代替することもできる。
【００４６】
以下、図３を参照して、本発明の実施形態による発光表示装置の画素回路１１０について詳細に説明する。
【００４７】
図３は本発明の実施形態による画素回路１１０の等価回路図である。図３では、説明の便宜上、ｍ番目のデータ線及び走査線に接続されている画素回路１１０のみを示した。
【００４８】
添付した図３に示したように、本発明の実施形態による画素回路１１０は、有機ＥＬ素子ＯＬＥＤと、４つのトランジスタＭ１〜Ｍ４、及び維持キャパシタＣstを含む。ここで、トランジスタＭ１〜Ｍ４としてはＰＭＯＳトランジスタを使用しているが、これに限定されない。このようなトランジスタは、表示パネル１００のガラス基板上に形成されるゲート電極、ドレーン電極、及びソース電極を各々制御電極及び２つの主電極として有する薄膜トランジスタであるのが好ましい。
【００４９】
より具体的に、有機発光ダイオードＯＬＥＤ（発光素子）のカソード電極にはカソード電圧（Ｖcathode）が印加され、アノード電極にはトランジスタＭ１（第２トランジスタ）のドレーン電極が接続されている。トランジスタＭ１のソース電極は電源電圧Ｖddと接続され、ゲート電極とソース電極との間には維持キャパシタＣstが接続されている。トランジスタＭ２のゲート電極及びドレーン電極は互いに接続されており、ソース電極は電源電圧Ｖddと接続される。
【００５０】
２つのトランジスタＭ１、Ｍ２は電流ミラーを形成する。２つのトランジスタＭ１、Ｍ２の各ゲート電極には、トランジスタＭ４（第２スイッチング素子）のソース電極及びドレーン電極が各々接続され、トランジスタＭ４のゲート電極には第２走査線が接続される。トランジスタＭ２（第１トランジスタ）のドレーン電極にはトランジスタＭ３（第１スイッチング素子）のソース電極が接続される。また、トランジスタＭ３のゲート電極には第１走査線が接続され、ドレーン電極にはデータ線が接続される。
【００５１】
次に、本発明による発光表示装置の動作を、図４に基づいて説明する。図４は本発明の実施形態による第１及び第２走査信号scan１、scan２の関係を示したタイミング図である。図４に示されたタイミング図に基づいて、画素回路１１０の動作を説明する。なお、図４に示すように、第１の走査信号scan１と第２の走査信号scan２のパルス幅は同一である。
【００５２】
まず、図４に示されているように、第２走査信号scan２が選択（例えば、高レベルから低レベルに変化）されると、トランジスタＭ４のみがターンオンされる（この期間が第１期間）。その後、トランジスタＭ４がターンオンされている状態で第１走査信号scan１が選択されると、トランジスタＭ３がターンオンされてトランジスタＭ３及びトランジスタＭ２がダイオード接続されて、トランジスタＭ２、Ｍ３が位置する経路にデータ線から伝達される電流が供給される。これにより、トランジスタＭ２のゲート電極とソース電極との間に電圧が発生する。もちろん、トランジスタＭ２のゲート／ソース電圧はトランジスタＭ２のドレーン電流の大きさによって決定される。この電圧はターンオンされたトランジスタＭ４を通って維持キャパシタＣstに充電される。
【００５３】
維持キャパシタＣstは、充電された電圧をトランジスタＭ１のゲート電極に印加する。トランジスタＭ１は、ゲート電圧に対応するドレーン電流を発生させ、トランジスタＭ１のドレーン電流によって有機ＥＬ素子ＯＬＥＤが駆動されて、該有機ＥＬ素子ＯＬＥＤは意図する輝度で発光し始める（この期間が第２期間）。
【００５４】
そして、有機ＥＬ素子ＯＬＥＤが発光している状態で第２走査信号scan２が選択解除（例えば、低レベルから高レベルに変化）されれば、トランジスタＭ４がターンオフされる。これにより、維持キャパシタＣstに充電された電圧はトランジスタＭ３に影響されず、有機ＥＬ素子ＯＬＥＤの発光が維持される（この期間が第３期間）。
【００５５】
この時、本実施形態とは異なって、トランジスタＭ４及びトランジスタＭ３が同時にターンオフされたり、トランジスタＭ４がターンオフされる前にトランジスタＭ３がターンオフされれば、維持キャパシタＣstに充電された電圧がトランジスタＭ４を通って放電されるため、有機ＥＬ素子ＯＬＥＤの発光量が減少する。しかし、本発明の実施形態では、トランジスタＭ３がターンオフされる前にトランジスタＭ４が先に完全にターンオフされるので、維持キャパシタＣstに維持された電圧によって有機ＥＬ素子ＯＬＥＤの発光が十分に行われる。
【００５６】
その後、第１走査信号scan１も選択解除されれば、トランジスタＭ３がターンオフされてデータ線を通じた電流の供給が遮断され、有機ＥＬ素子ＯＬＥＤは維持キャパシタCstによって維持される電圧に対応して供給されるトランジスタＭ１のドレーン電流によって発光を維持する。
【００５７】
上述のように動作する本発明の実施形態に係る発光表示装置において、第２走査信号scan２の選択解除時点が第１走査信号scan１の選択解除時点より早く、その時間差は第２走査駆動部から距離が最も遠い画素での第２走査信号の選択解除時間以上であるのが好ましい。このような時間差は、走査線上の寄生成分による信号遅延量を考慮した時間である。本実施形態では、選択解除時間が走査信号が低レベルから高レベルに変化する上昇時間であるが、画素回路のトランジスタＭ４がＮＭＯＳトランジスタからなる場合には、選択解除時間が走査信号が高レベルから低レベルに変化する下降時間であり得る。
【００５８】
前記のように発光表示装置が駆動された場合の、１つの行の画素のうちの第１走査駆動部と距離が最も近い画素（Ａ）（図２の「Ａ」に示す列の画素）及び同一行の画素のうちの第２走査駆動部と距離が最も近い画素（Ｂ）（図２の「Ｂ」に示す列の画素）での電流を示したグラフが、図５〜図８に各々示されている。
【００５９】
図５は図２に示された発光表示装置で第１走査駆動部３００と距離が最も近い画素（Ａ）での第１及び第２走査信号の関係を示した図面であり、図６は前記関係による画素（Ａ）の電流（特に、トランジスタＭ１を通って供給される電流）を示したグラフである。特に、図５は第１走査信号scan１の上昇／下降時間が０μsecである時に第２走査信号scan２の上昇／下降時間が２μsecである場合の、画素（Ａ）での第１及び第２走査信号の関係を示した波形図である。
【００６０】
添付した図５，図６に示すように、第１走査信号scan１及び第２走査信号scan２の関係によって、第１走査信号scan１及び第２走査信号scan２の選択解除後に画素に供給される電流が変化することが分かる。
【００６１】
具体的に、図５，図６を参照すれば、複数個の第１走査信号scan１のうち最も左側にある第１走査信号の場合に、画素の電流が最も早く現れ、且つ最も早く減少し、第１走査信号が右側に行くほど、つまり第２走査信号scan２より遅く選択解除されるほど、画素の電流の減少が少ないことが分かる。
【００６２】
一方、図７は図２に示された発光表示装置における画素（Ｂ）での第１及び第２走査信号の関係を示した図面であり、図８は前記関係による画素（Ｂ）の電流を示したグラフである。図７は第１走査信号の上昇／下降時間が０μsecである時に第２走査信号scan２の上昇／下降時間が２μsecである場合の、画素（Ｂ）での第１及び第２走査信号の関係を示した波形図である。
【００６３】
第２走査駆動部３００と距離が最も近い画素（Ｂ）では第２走査信号scan２の上昇／下降時間が速いので、図７のように、全ての場合に第２走査信号scan２が第１走査信号scan１より先に選択解除される。その結果、図８のように画素（Ｂ）の電流が全て同一になる。
【００６４】
このような図５〜図８から、第２走査信号scan２の選択解除後に第１走査信号scan１の選択解除までの時間が十分でない場合、画素（Ａ）の電流が画素（Ｂ）の電流より顕著に低くなることが分かる。
【００６５】
図９に、このような特性を有する画素（Ａ）の電流と画素（Ｂ）の電流との間の関係がより具体的に示されている。図９で、実線は第１走査駆動部と距離が最も近い画素（Ａ）の電流を示した図面であり、点線は第２走査駆動部と距離が最も近い画素（Ｂ）の電流を示した図面である。そして、横軸は第１走査信号の選択解除時点と第２走査信号の選択解除時点との時間差を示しており、縦軸は当該画素に流れる電流を示す。
【００６６】
添付した図９に示したように、第１走査信号の選択解除時点と第２走査信号の選択解除時点との間の時間差によって、画素（Ａ）と画素（Ｂ）との電流がどの程度の差を有するかが理解される。つまり、図９のように、時間差が１μsec以下である場合には画素（Ａ）と画素（Ｂ）との電流差が顕著である反面、時間差が１μsec以上である場合には画素（Ａ）と画素（Ｂ）との電流差が減少することが分かる。特に、前記時間差が１μsecからは画素（Ａ）と画素（Ｂ）との電流差が減少し始め、時間差１．２μsecまたは１．５μsecからは電流差が顕著に減少し、時間差３μsec程度では画素（Ａ）と画素（Ｂ）との間の電流差がほとんどなく、その電流差は時間差４μsecになるまでほとんど維持されることが分かる。つまり、時間差が適正時間以上になれば、走査信号の遅延が発生してもパネルの両側に各々位置した画素間でも電流差がほとんど発生しない。
【００６７】
このような結果に基づいてみると、第２走査信号scan２の選択解除時点と第１走査信号scan１の選択解除時点との間の時間差が１μsec〜４μsec範囲内である場合に、画素回路１１０のトランジスタＭ４が完全にターンオフされた後、トランジスタＭ３がターンオフされて、走査信号の遅延によって輝度が低下するのを効果的に防止することができ、特に、前記時間差が１．２μsec〜４μsecまたは１．５μsec〜１．４μsecの範囲内で前記輝度の低下がより効果的に防止されることが分かる。
【００６８】
前記のように、一つの行の画素に表示情報を記録するための第２走査信号scan２の選択解除時点を前記画素を選択するための第１走査信号scan１の選択解除時点より早くして発光表示装置を駆動させることにより、走査信号の遅延によって輝度が低下するのを防止することができる。
【００６９】
一方、前記のように第１走査信号及び第２走査信号の選択解除時点を互いに異なるようにすることを、図３に示した画素と異なる構造を有する画素にも同一に適用することができる。
【００７０】
図１０は本発明の他の実施形態による画素の回路図である。添付した図１０に示された画素回路は、上述の実施形態のように、電流ミラーを形成するトランジスタを含むもので、具体的に、電流ミラーを形成するトランジスタＴ１，Ｔ２と、トランジスタＴ１に接続されて印加される電流によって発光する有機ＥＬ素子ＯＬＥＤと、トランジスタＴ１、Ｔ２の間に形成されたキャパシタＣと、第１走査信号scan１によって動作してデータ線からのデータ電流を伝達するトランジスタＴ３と、第２走査信号scan２によって動作してトランジスタＴ３からの電流によってトランジスタＭ１のゲート電極とソース電極との間に発生した電圧が前記キャパシタＣに充電されるようにするトランジスタＴ４とを含む。
【００７１】
このような構造の画素回路でも、第１走査信号scan１及び第２走査信号scan２によってトランジスタＴ３、Ｔ４が各々導通してターンオンされれば、トランジスタＴ２はダイオード接続され、データ線からの電流がトランジスタＴ２、Ｔ３が位置する経路を通って供給され、トランジスタＴ２のゲート電極とソース電極との間に電圧が発生する。この電圧はキャパシタＣに充電され、その後、キャパシタＣに充電された電圧によってトランジスタＴ１から供給される電流によって有機ＥＬ素子ＯＬＥＤが発光する。
【００７２】
このような画素回路でも、第１走査信号scan１及び第２走査信号scan２が同時に選択解除されれば、トランジスタＴ３の抵抗が大きくなって上昇したトランジスタＴ２のドレーン電圧によってキャパシタＣがトランジスタＴ４を通じて放電されて、有機ＥＬ素子ＯＬＥＤの発光量が減少する現象が発生する。
【００７３】
したがって、この場合にも、第２走査信号scan２を上述した実施形態のように先に選択解除すれば、トランジスタＴ４が先にターンオフされて、キャパシタＣに充電された電圧はトランジスタＴ３による影響を受けない。トランジスタＴ４が完全にターンオフされた後に、第１走査信号scan１の選択解除によってトランジスタＴ３がターンオフされれば、データ線を通じた電流の供給が遮断され、有機ＥＬ素子ＯＬＥＤはキャパシタＣによって維持される電圧に対応して供給されるトランジスタＴ１のドレーン電流によって発光を維持する。このような動作によって、トランジスタＴ４が完全にターンオフされる前にトランジスタＴ３がターンオフされて画素の輝度が低下するのが防止される。
【００７４】
一方、前記のように動作する本発明の実施形態において、図４の波形を生成するために図１１に示された構造を有する走査駆動部を使用することができる。図１１は本発明の実施形態による走査駆動部の構造例である。
【００７５】
図１１に示された走査駆動部は、印加される信号SPによって動作し、互いに直列接続されている複数の第１フリップフロップＦ１及び第２フリップフロップＦ２、そして第２フリップフロップＦ２から出力される信号を走査信号scan[１]〜scan[ｍ]として出力する複数のバッファー（Ｂ）からなる。入力される信号の状態によって当該信号を出力するフリップフロップの動作は既に公知された説明であるので、ここでは詳細な説明は省略する。
【００７６】
このような構造の走査駆動部が第１走査信号scan１を生成する第１走査駆動部である場合には、図１１において、SPにはVSP１、clkにはVCLK１、clkbにはVCLKB１が各々入力される。また、第２走査信号scan２を生成する第２走査駆動部である場合には、SPにはVSP２、clkにはVCLK２、clkbにはVCLKB２が各々入力される。
【００７７】
したがって、図１１に示されたような構造で第１及び第２走査駆動部を各々実現し、前記実施形態によって第２走査信号を生成する第２走査駆動部のVSP２、VCLK２（第２クロック）、VCLKB２（第２クロック）、及び第１走査信号を生成する第１走査駆動部のVSP１、VCLK１（第１クロック）、VCLKB１（第１クロック）を図４に示されたようなオフセット時間だけ間隔をおいて駆動させれば、第２走査信号の選択解除時点が第１走査信号の選択解除時点より早くなる。
【００７８】
前記実施形態で使用された駆動方法（画素に表示情報を記録するための第２走査信号の選択解除時点を画素を選択する第１走査信号の選択解除時点より速くする方法）は、前記実施形態による画素構造に限定して適用されず、電流ミラーのトランジスタを含む全ての画素構造にも容易に適用することができる。
【００７９】
本発明は、最も実際的で好ましい実施形態を参照して説明したが、前記で開示された実施形態に限定されず、特許請求の範囲内に属する多様な変形及び等価物を含む。
【図面の簡単な説明】
【００８０】
【図１】従来の技術による画素回路図である。
【図２】本発明の実施形態による発光表示装置の全体構造を示した図面である。
【図３】本発明の実施形態による発光表示装置の画素構造を示した図面である。
【図４】本発明の実施形態による第１及び第２走査信号のタイミング図である。
【図５】図２に示された画素（Ａ）における走査信号を示したグラフである。
【図６】図２に示された画素（Ａ）における電流を示したグラフである。
【図７】図２に示された画素（Ｂ）における走査信号を示したグラフである。
【図８】図２に示された画素（Ｂ）における電流を示したグラフである。
【図９】本発明の実施形態による第１及び第２走査信号の選択解除時点の時間差による画素間の電流の変化を示したグラフである。
【図１０】本発明の他の実施形態による画素回路図である。
【図１１】本発明の実施形態による発光表示装置の走査駆動部の構造例である。
【符号の説明】
【００８１】
１００  有機ＥＬ表示パネル（表示パネル）
１１０  画素回路
２００  データ駆動部
３００  第１走査駆動部
４００  第２走査駆動部
Ｃst  キャパシタ
Ｆ１  第１フリップフロップ
Ｆ２  第２フリップフロップ
Ｉdata  データ電流
Ｍ1〜Ｍ4  トランジスタ
ＯＬＥＤ  有機ＥＬ素子
scan1  第１走査信号
scan2  第２走査信号
VSP1、VSP2  入力信号
VCLK1、VCLKB1、VCLK2、VCLKB2  クロック信号
【図１】
2005165320.tif 000003
【図２】
2005165320.tif 000004
【図３】
2005165320.tif 000005
【図４】
2005165320.tif 000006
【図５】
2005165320.tif 000007
【図６】
2005165320.tif 000008
【図７】
2005165320.tif 000009
【図８】
2005165320.tif 000010
【図９】
2005165320.tif 000011
【図１０】
2005165320.tif 000012
【図１１】
2005165320.tif 000013